(57)【要約】非水性の親油性流体ベースの洗濯プロセス及びこのプロセスに有用な自動洗濯機に下水排出される洗剤組成物を利用する、布地ドライクリーニングシステムであり、特に消費者の家庭で使用されるシステム。
2005502771.tif 000002
【特許請求の範囲】
【請求項１】
布地物品を洗浄する方法であって、前記方法は、洗浄する必要のある布地物品を自動洗濯機において１種又はそれ以上の洗濯添加剤及び親油性流体を含む洗浄組成物の洗濯媒質と接触させ、その後１種又はそれ以上の洗濯添加剤を親油性流体から分離させ、親油性流体から分離された洗濯添加剤の水性混合物を形成し、その後この水性混合物を下水排出処分することを含む方法。
【請求項２】
該親油性流体がＤ５を含み、該洗濯添加剤が、界面活性剤、アルキルアミン類、及びこれらの組み合わせから成る群から選択される１種又はそれ以上の添加剤を含む、請求項１に記載の布地物品を洗浄する方法。
【請求項３】
親油性流体と洗濯添加剤とを分離する前に親油性流体に水が添加される、請求項１に記載の布地物品を洗浄する方法。
【請求項４】
水にヒドロトロープが添加される、請求項３に記載の布地物品を洗浄する方法。
【請求項５】
該ヒドロトロープが、短鎖のエトキシル化非イオン性界面活性剤である、請求項４に記載の布地物品を洗浄する方法。
【請求項６】
洗浄組成物の洗濯媒質に水が添加される、請求項１に記載の布地物品を洗浄する方法。
【請求項７】
１種又はそれ以上の洗濯添加剤を濾過によって除去し、続いてこの濾過に使用されたフィルタを水で流して親油性流体から除去された洗濯添加剤と混合し、その後この水性混合物を下水排出処分する、請求項１に記載の布地物品を洗浄する方法。
【請求項８】
洗浄添加剤の一部分だけを下水排出処分し、洗濯添加剤のその他の部分は、使い捨てフィルタによって除去する、請求項１に記載の布地物品を洗浄する方法。
【請求項９】
請求項１〜８のいずれか１項に記載の方法と共に使用される自動洗濯機であって、前記洗濯機は、親油性流体及び洗濯添加剤を含有する洗浄組成物の洗濯媒質によって布地物品を洗浄するように設計されており、前記機械は、洗浄する布地物品を親油性流体と接触させるチャンバー内に親油性流体を供給する連結部と、親油性流体を再利用するために布地洗浄プロセス中に又は布地洗浄プロセス後に洗濯添加剤から親油性流体を分離することのできる分離システムと、該分離システムによって除去された洗濯添加剤の少なくとも一部が下水排出処分されるように水性廃棄物除去システムに取り付けるための連結部とを含む自動洗濯機。
【請求項１０】
水の供給源に取り付けるための連結部を更に含む、請求項９に記載の自動洗濯機。
システム。
【発明の詳細な説明】
【技術分野】
【０００１】
本発明は、非水性溶媒ベースの洗濯プロセスに下水排出される洗剤組成物を利用する布地ドライクリーニングシステムであり、特に消費者の家庭において使用されるシステムに関する。
【背景技術】
【０００２】
具体的には家庭用の洗濯機と共に使用される、環式シロキサン類（特にシクロペンタシロキサン類、「Ｄ５」と呼ばれることもある）のような親油性流体を利用する非水性溶媒ベースのドライクリーニングシステムが、近年開発されている。このようなシステムは、縮み及び転染のような湿式洗濯に関連した損傷を引き起こさずに織物物品を洗浄するのに特に望ましい。このようなシステムにおける布地洗浄性を最大限にするには、洗浄、柔軟化、仕上げなどのための添加剤を使用する必要がある。
【０００３】
通常の業務用ドライクリーニングシステムでは、これらの添加剤を、蒸留を介して洗濯流体から都合よく除去し、有害廃棄物として処分することができる。しかし、家庭環境においては（及び、廃棄残留物の取扱いが望まれない業務用のドライクリーニングシステムにおいても）、そのような洗濯システムに、洗濯流体から効果的に除去でき、安全に下水排出処理できる添加剤を利用することが好ましい。このようなシステムは、洗濯によって（家庭、又はドライクリーニング業者において）生じる有害廃棄物の懸念や環境の有害廃棄物の量を低減させる。
【発明の開示】
【発明が解決しようとする課題】
【０００４】
本発明は、布地の洗浄及び洗浄添加剤の処理に関する便利で環境的に安全なシステムを対象とする。
【課題を解決するための手段】
【０００５】
本発明は、洗濯添加剤を除去し、それを水と共に安全に下水排出処理する、親油性流体を使用する洗濯プロセスに関する。添加剤は、安全に下水排出処理でき、親油性流体中で洗浄効果を提供できる材料から選択される。このような添加剤には、水を用いる洗濯用の現行製品において使用されているもの（界面活性剤、ポリマー、漂白剤、増白剤、香料、酵素、溶媒、染料など）、並びに親油性流体に可溶の又は親油性流体に懸濁させることができるその他の材料が挙げられる。
【０００６】
親油性流体を使用するこのような洗濯プロセスの特徴及び利点については、次の詳細な説明及び添付の特許請求の範囲を読めば当業者には明らかになる。本明細書におけるすべての百分率、比率、及び割合は、特に指定のない限り重量を基準とする。特に指定しない限り、温度は全て摂氏（℃）による。全ての測定値は、特に指定のない限りＳＩ単位による。関連部分において記載するすべての文献は、参照文献として本明細書中に組み込まれる。
【発明を実施するための最良の形態】
【０００７】
（定義）
本明細書で使用される用語「布地物品」とは、従来の洗濯プロセス又はドライクリーニングプロセスで慣例的に洗浄されるあらゆる物品を意味するものとする。このような用語は、衣服、亜麻布、服地、及び衣服付属品のような物品を含む。この用語はまた、手さげバッグ、家具カバー、防水布など、全体的に又は部分的に布で作られた他の品目も包含する。
【０００８】
本明細書で使用される用語「親油性流体」とは、以下でより詳細に記載されるように、皮脂を除去することが可能ないかなる非水性流体も意味するものとする。
【０００９】
本明細書で使用される用語「洗浄性組成物」及び／又は「処理組成物」とは、洗浄される布地物品と直接接触する、あらゆる親油性流体含有組成物を意味するものとする。前記用語は、コンディショニング及びサイジングなどの洗浄以外の用途を包含すると理解されるべきである。
【００１０】
用語「汚れ」とは、除去されることが望まれる布地物品上の好ましくないあらゆる物質を意味する。「水をベースにした」又は「親水性」の汚れという用語は、汚れが最初に布地物品と接触した時に水を含んでいるか、汚れが高い水溶性又は親水性を有するか、又は汚れが布地物品上で多量の水を保持することを意味する。水をベースにした汚れの例には、限定的ではないが、飲み物、多くの食物汚れ、水溶性染料、汗、尿、又は血液などの体液、草のしみ、及び泥などの戸外の汚れが挙げられる。
【００１１】
用語「親油性流体中に水を懸濁させることができる」とは、ある物質が、成分を最初に混合した後少なくとも５分間静置した時に、水が目に見えて懸濁、溶媒和又は乳化した状態を保つような形で、親油性流体と不混和性である水を懸濁、溶媒和又は乳化させることができることを意味する。
【００１２】
用語「親油性流体に不溶性」とは、親油性流体に添加された時に、物質が、添加後５分以内に親油性流体から物理的に分離（すなわち、沈殿、凝縮、浮揚）し、それに対して「親油性流体に可溶性」である物質は、添加後５分以内に親油性流体から物理的に分離しないことを意味する。
【００１３】
用語「消費可能な洗剤組成物」とは、親油性流体と組み合わせると、結果として本発明のプロセスによる有用な洗浄組成物が得られる、任意の組成物を意味する。
【００１４】
用語「処理助剤」とは、本発明のプロセスに有用な洗浄組成物を形成するために、消費可能な洗剤組成物を親油性流体との配合性、安定性、及び／又は希釈性に関して更に好適にする、任意の物質を指す。
【００１５】
本明細書で使用する時、用語「混合」とは、２つ以上の物質（すなわち、流体、より具体的には親油性流体及び消費可能な洗剤組成物）を均一な混合物が形成されるように組み合わせることを意味する。好適な混合プロセスは、当該技術において既知である。好適な混合プロセスの非限定的な例には、攪拌混合プロセス、及び静的混合プロセスが挙げられる。
【００１６】
（プロセスの説明：）
本発明のプロセスは、次のように記載される。１種又はそれ以上の洗濯添加剤を含む洗剤（又は他の製品）を、自動洗濯機において洗浄する必要のある布地物品に、洗濯流体が接触する前又は接触した後のいずれかに親油性流体に添加する。洗濯サイクル後、流体を機械のドラムから下水排出し、１種又はそれ以上の洗濯添加剤が親油性流体から分離する。好ましい分離様式は、機械による再利用のための親油性流体の浄化プロセス中に導入される水相への添加剤の抽出である。従って、添加剤及び他の汚染物質の抽出を向上させるために分離工程中に、水を添加することができる。ヒドロトロープ及び乳化剤のような「抽出助剤」を水と一緒に添加することができる。好ましいヒドロトロープは、デヒドール（Dehydol）（商標）のような短鎖の低エトキシル化非イオン性物質である。その他の分離様式は、濾過、凝集、吸着、遠心分離、及び蒸留である。洗濯添加剤の除去とは、親油性流体から洗濯添加剤及び汚れ汚染物質が十分に取り除かれていて、その親油性流体を次に洗浄する布地洗濯物にすぐに使用することができ、洗濯添加剤（及び布地から除去されると考えられる汚れの一部も）を含有する（下水排出される）水相が、親油性流体をほぼ含まないことである。
【００１７】
本発明による布地物品の洗浄方法は、洗浄組成物の洗濯媒質に水を添加する方法を含む。本発明の方法はまた、１種又はそれ以上の洗濯添加剤を濾過によって除去し、その後この濾過に使用される濾紙を、水で流して親油性流体から除去された洗濯添加剤と混合するプロセスも含む。このようにして形成される水性混合物を、その後下水排出処理する。本発明のプロセスは、洗濯添加剤の一部分だけを下水排出処理し、洗濯添加剤の他の部分が使い捨て濾紙によって除去する方法（この使い捨て濾紙は、その後回収された洗濯添加剤及び／又は濾紙の再利用のために機械から取り出してもよく、又は埋立てのような従来の手段によって処理してもよい）を包含することも理解されるべきである。
【００１８】
本発明による有用な自動洗濯機は、親油性流体及び洗濯添加剤を含有する洗濯媒質によって布地を洗浄するように設計された任意の機械である。機械は、通常は親油性流体及び洗濯添加剤を洗浄する布地と接触させることのできる回転ドラムを有するが、本発明において、明らかに接触によって洗浄プロセスを起こすことができるのであれば、親油性流体及び洗濯添加剤を布地と接触させる任意の方法が想定される。このような機械は、親油性流体を（単独で、又は既にそれに混合された洗濯添加剤と共に）、洗浄する布地物品を親油性流体と接触させるチャンバー内に供給する連結部を含む。好ましい機械はまた、機械において行われる洗濯プロセスに供給される親油性流体を保管する保管チャンバーも含む。従って、これらの機械は、通常は親油性流体供給源を有する。機械はまた、親油性流体を再利用するために、布地洗浄プロセス中に又は洗浄プロセス後に、洗濯添加剤から親油性流体を分離できる分離システムも含む。更に、本発明の機械は、分離システムによって除去された洗濯添加剤の少なくとも一部（好ましくは全て）を下水排出処理するように、水性廃棄物除去システムへの取り付け用の連結部を含む。好ましい機械はまた、水の供給源、通常は水道水への取り付け用の連結部も含む。
【００１９】
本明細書で使用する時、「親油性流体をほぼ含まない」とは、下水排出処理する水性混合物が、洗濯機の親油性流体保管部から失われた親油性流体の交換コスト及び環境安全性の両方で決定される、許容不可能なほど高濃度の親油性流体を含有しないことを意味する。現行の洗濯システムでは、基本的に全ての親油性流体を再利用することが極めて望ましいので、洗濯添加剤を含有する前述の水相と共に下水排出処理される親油性流体が、あったとしても非常にわずかであることが極めて望ましい。
【００２０】
本明細書で使用する時、「下水排出」とは、下水道のような自治体の廃水除去システムへの、又は汚水処理システムのような特定地域用のシステムを介した物質の従来の家庭処理、並びに、商業用途での現場（on-site）水処理システム又は施設から汚染水を回収する他の集中格納手段への除去の両方を意味する。
【００２１】
（親油性流体）
本明細書の親油性流体は、布地／皮革物品処理機器の運転条件下、換言すれば、本発明による布地物品の処理中に、液相が存在するものである。一般に、このような親油性流体は、周囲温度及び圧力においてほぼ液体である可能性があり、容易に溶解する固体、例えば約０℃〜約６０℃の範囲の温度で液体になる可能性があり、又は例えば２５℃、１気圧の周囲温度及び圧力において液相及び気相の混合物を含むことができる。従って、親油性流体は、二酸化炭素のような圧縮性気体ではない。
【００２２】
本明細書の親油性流体は、既知の従来のドライクリーニング流体の性質と等しい、又は好ましくはそれを上回る不燃性を有するか、又は比較的高い引火点及び／若しくは低ＶＯＣ（揮発性有機化合物）性を有することが好ましく、これらの用語はドライクリーニング産業で使用されるような従来の意味を有する。
【００２３】
更に、本明細書の好適な親油性流体は、流動しやすく、粘性ではない。
【００２４】
一般に、本明細書の親油性流体は、本明細書で後述する試験の中で定義されるように、皮脂又は身体の汚れを少なくとも部分的に溶解できる流体である必要がある。親油性流体の混合物もまた適しており、下記の親油性流体試験の要件を満たすことを条件として、親油性流体は、任意の分率のドライクリーニング溶媒、特にフッ素化溶媒、又は過フッ素化アミンを含む、より新しい種類のものを含むことができる。パーフルオロトリブチルアミンのような幾つかの過フッ化アミン類は、親油性流体として使用されるのには適さないが、親油性流体含有組成物中に存在可能な多くの潜在的な補助剤の１つとして存在してよい。
【００２５】
他の適した親油性流体には、ジオール溶媒系、例えば、Ｃ６−又はＣ８−などの高級ジオール、又は更に高級のジオール類、環状及び非環状型の両方を含む有機シリコーン溶媒類など、並びにこれらの混合物が挙げられるが、これらに限定されない。
【００２６】
本発明の組成物の主構成成分として組み込むのに適した非水性親油性流体の好ましい群には、低揮発性非フッ素化有機物、シリコーン、特にアミノ官能性シリコーン以外のもの、及びこれらの混合物が挙げられる。低揮発性非フッ素化有機物には、例えばオレアン（OLEAN）（登録商標）及びその他のポリオールエステル類、又は特定の比較的非揮発性の生分解性中鎖分枝状石油留分が挙げられる。
【００２７】
本発明の組成物の主構成成分として組み込むのに適した非水性親油性流体の別の好ましい群には、グリコールエーテル、例えば、プロピレングリコールメチルエーテル、プロピレングリコールｎ−プロピルエーテル、プロピレングリコールｔ−ブチルエーテル、プロピレングリコールｎ−ブチルエーテル、ジプロピレングリコールメチルエーテル、ジプロピレングリコールｎ−プロピルエーテル、ジプロピレングリコールｔ−ブチルエーテル、ジプロピレングリコールｎ−ブチルエーテル、トリプロピレングリコールメチルエーテル、トリプロピレングリコールｎ−プロピルエーテル、トリプロピレングリコールｔ−ブチルエーテル、トリプロピレングリコールｎ−ブチルエーテルが挙げられるが、これらに限定されない。組成物の主構成成分として、例えば、５０％を超過して用いられる好適なシリコーンには、「Ｄ５」と呼ばれることもあるシクロペンタシロキサン、及び／又はほぼ同様の揮発性を有し、任意選択的に他の適合性のあるシリコーンにより補完される直鎖類似体が挙げられる。好適なシリコーン類は、文献で周知であり、例えば、カーク・オスマーの工業化学百科事典を参照されたい。また、ゼネラル・エレクトリック（General Electric）、東芝シリコーン（株）、バイエル（Bayer）、及びダウ・コーニング（Dow Corning）を含む多数の業者から入手可能である。他の好適な親油性流体は、プロクター・アンド・ギャンブル（Procter & Gamble）、又はダウ・ケミカル（Dow Chemical）、及び他の業者から入手可能である。
【００２８】
（親油性流体の適合性及び親油性流体試験（ＬＦ試験））
ドライクリーニング流体に対する既知の要件（例えば、引火点など）を満たすことができると共に、下記の試験法に示されるように少なくとも部分的に皮脂を溶解することができるいかなる非水性流体も、本明細書の親油性流体として適している。一般指針としてパーフルオロブチルアミン（フロリナート（Fluorinert）ＦＣ−４３（登録商標））はそれ自体（補助剤と共に、又は補助剤なしで）が標準物質であり、定義上は本明細書で使用される親油性流体として適していない（本質的に非溶媒である）が、一方でシクロペンタシロキサンは好適な皮脂溶解特性を有し、皮脂を溶解させる。
【００２９】
以下は親油性流体として使用される他の物質、例えば、他の低粘度、自由流動性シリコーンの調査及び適格性認定方法である。この方法は、皮脂に関する汚れの例として、市販品で入手可能なクリスコ（Crisco）（登録商標）カノーラ油、オレイン酸（純度９５％、シグマ・アルドリッチ社（Sigma Aldrich Co.）から入手可能）、及びスクアレン（純度９９％、Ｊ．Ｔ．ベーカー（J. T. Baker）から入手可能）を使用する。試験物質は、実質的に無水であり、いかなる添加された補助剤も評価中の他の材料も含んでいてはならない。
【００３０】
３本のバイアル瓶を用意し、各バイアル瓶に１種類の親油性汚れを入れる。第一のバイアル瓶にカノーラ油１．０ｇを入れ、第二のバイアル瓶にオレイン酸（９５％）１．０ｇを入れ、最後の第三のバイアル瓶にスクアレン（９９．９％）１．０ｇを入れる。各バイアル瓶に、親油性を試験する流体を１ｇ入れる。室温及び室内圧力で標準的な攪拌混合機において、最大設定で２０秒間、試験される親油性汚れ及び流体を含有する各バイアル瓶を個別に混合する。バイアル瓶を作業台に載置し、室温及び室内圧力で１５分間安定させる。静止した時に、親油性汚れの入ったいずれかのバイアル瓶に透明な単一相が形成された場合は、その非水性流体は、本発明による「親油性流体」として使用されるのに適しているとみなされる。但し、３本のバイアル瓶全部に２つ以上の分離相が形成されている場合には、油相中に溶解される非水性流体の量を、非水性流体が適切なものかどうか判断する前に、更に測定する必要がある。
【００３１】
このような場合は、注射器により、各バイアル瓶の各層から２００μｌのサンプルを注意して抜き取る。各３つのモデル、汚れ及び試験される流体の較正サンプルの保持時間を決定した後、注射器で抜き取った層のサンプルをＧＣオートサンプラーバイアル瓶に入れ、従来のＧＣ分析にかける。オレイン酸層、カノーラ油層、又はスクアラン層から成る層のいずれか１つに、試験流体が１％を超えて、好ましくはそれより多く、存在することがＧＣで判明した場合には、その試験流体も親油性流体として使用されるのに適切であるとみなされる。必要であれば、この方法はヘプタコサフルオロトリブチルアミン、つまりフルオリナート（Fluorinert）ＦＣ−４３（不合格）及びシクロペンタシロキサン（合格）を使用して更に較正することができる。好適なＧＣは、スプリット／スプリットレス注入器及びＦＩＤを装備したヒューレットパッカード（Hewlett Packard）のガスクロマトグラフＨＰ５８９０シリーズＩＩである。親油性流体存在量を決定するのに使用される好適なカラムは、Ｊ＆Ｗサイエンティフィック（J&W Scientific）の、３０メートル、内径０．２５ｍｍ、厚さ０．１ｕｍのフィルム、カタログ番号１２２１１３１のキャピラリーカラムＤＢ−１ＨＴである。ＧＣを次の条件下で適切に操作する：
【表１】
2005502771.tif 000003
【００３２】
本明細書で使用されるのに適した好ましい親油性流体を、優れた衣類ケア特性を有するという点から、使用のために更に格付けすることができる。衣類ケア特性試験は当該技術分野において既知であり、継ぎ目などや、各種ボタンに使用される布地、糸及びゴムひもを含む様々な衣類又は布地物品構成要素を使用して、特定される流体を試験することを包含する。本明細書で使用されるのに好ましい親油性流体は、優れた衣類ケア特性を有する、例えば、良好な収縮及び／又は布地ひだ寄せ特性を有し、またプラスチックボタンに目立った損傷を与えない。例えばエチルラクテートのような、皮脂の除去において親油性流体として使用されるのが適切である特定の物質は、ボタンを溶解する傾向があるために極めて好ましくなく、そのような物質が本発明の組成物中に使用される場合、混合物全体が実質的にボタンに損傷を与えないように、水及び／又は他の物質と配合される。他の親油性流体、例えば、Ｄ５は、衣類ケアの要件を十分に満たす。幾つかの好適な親油性流体は、付与された米国特許第５，８６５，８５２号；５，９４２，００７号；第６，０４２，６１７号；第６，０４２，６１８号；第６，０５６，７８９号；第６，０５９，８４５号；及び第６，０６３，１３５号の中に見出されるが、これらは本明細書に参考として組み込まれる。
【００３３】
親油性流体には、直鎖及び環状ポリシロキサン、炭化水素、及び塩素化炭化水素を挙げることができるが、本明細書で使用される親油性流体の定義によって明確に包含されないＰＥＲＣ及びＤＦ２０００は例外とする。より好ましいのは、線状及び環状ポリシロキサン及びグリコールエーテル、酢酸エステル、乳酸エステル類の炭化水素である。好ましい親油性流体には、７６０ｍｍＨｇにおいて約２５０℃未満の沸点を有する環状シロキサンが挙げられる。本発明で使用する特に好ましい環状シロキサンは、オクタメチルシクロテトラシロキサン、デカメチルシクロペンタシロキサン、及びドデカメチルシクロヘキサシロキサンである。好ましくは、環状シロキサンは、デカメチルシクロペンタシロキサン（Ｄ５、ペンタマー）を含み、実質的にオクタメチルシクロテトラシロキサン（テトラマー）及びドデカメチルシクロヘキサシロキサン（ヘキサマー）を含まない。
【００３４】
但し、有用な環状シロキサン混合物が、好ましい環状シロキサン類に加えて、オクタメチルシクロテトラシロキサン及びヘキサメチルシクロトリシロキサン、又はテトラデカメチルシクロヘプタシロキサンのようなより高級な環状物を含む他の環状シロキサン類も微量含有する場合があることを理解されるべきである。一般的に、環状シロキサン混合物に有用なこれらの他の環状シロキサン量は、混合物の全体の約１０重量％未満である。環状シロキサン混合物の工業規格では、このような混合物は混合物の約１重量％未満のオクタメチルシクロテトラシロキサンを含む。
【００３５】
従って、本発明の親油性流体は、親油性流体の好ましくは約５０重量％を超える、より好ましくは約７５重量％を超える、更により好ましくは少なくとも約９０重量％、最も好ましくは少なくとも約９５重量％のデカメチルシクロペンタシロキサンを含む。あるいは、親油性流体は、混合物の約５０重量％を超える、好ましくは約７５重量％を超える、より好ましくは少なくとも約９０重量％、最も好ましくは少なくとも９５重量％〜約１００重量％のデカメチルシクロペンタシロキサン、並びに混合物の約１０重量％未満、好ましくは約５重量％未満、より好ましくは約２重量％未満、更により好ましくは約１重量％未満、最も好ましくは約０．５重量％未満か〜約０重量％のオクタメチルシクロテトラシロキサン及び／又はドデカメチルシクロヘキサシロキサンを有する環状シロキサンの混合物であるシロキサンを含む。
【００３６】
親油性流体の濃度は、本発明の処理組成物中に存在する場合、好ましくは処理組成物の約７０重量％〜約９９．９９重量％、より好ましくは約９０重量％〜約９９．９重量％、更により好ましくは約９５重量％〜約９９．８重量％である。
【００３７】
親油性流体の濃度は、本発明の消費可能な布地物品処理／洗浄性組成物中に存在する場合、好ましくは消費可能な布地物品処理／洗浄性組成物の約０．１重量％〜約９０重量％、より好ましくは約０．５重量％〜約７５重量％、更により好ましくは約１重量％〜約５０重量％である。
【００３８】
（洗濯添加剤：）
本明細書において有用な洗剤組成物は、洗濯添加剤を含む。本明細書で使用する時、「洗濯添加剤」とは、環境運命及び毒性（例えば、生分解性、水毒性、ｐＨなど）におけるあらゆる制約内で安全に下水排出処理できる物質から選択される、親油性流体をベースにした洗浄システムにおいて有用な添加剤を意味する。水又は親油性流体への溶解性は必ずしも必要ではないが、好ましい物質は、水及び親油性流体の両方において同時に可溶性である。そのような洗濯添加剤の例は、図１に示されるＴｅａｓ図の丸で囲んだ領域内に入る溶解度パラメータを有するものである。洗濯添加剤は、広範にわたって異なる可能性があり、広範囲にわたる濃度で使用することができる。
【００３９】
好適な洗濯添加剤の一部には、ビルダー、界面活性剤、酵素、漂白剤活性化剤、漂白剤触媒、漂白促進剤、漂白剤、アルカリ性供給源、抗菌剤、着色剤、香料、副香料、仕上げ剤、ライム石鹸分散剤、賦香剤、臭気中和剤、ポリマー性転染抑制剤、結晶成長阻害剤、光漂白剤、重金属イオン封鎖剤、変色防止剤、抗微生物剤、酸化防止剤、再付着防止剤、汚れ放出ポリマー、電解質、ｐＨ変性剤、増粘剤、研磨材、二価又は三価イオン、金属イオン塩、酵素安定化剤、腐食防止剤、ジアミン類又はポリアミン類及び／又はそれらのアルコキシレート類、石鹸泡安定化ポリマー、溶媒、処理助剤、布地柔軟化剤、光学的光沢剤、ヒドロトロープ、抑泡剤、発泡促進剤、並びにこれらの混合物が挙げられるが、これらに限定されない。
【００４０】
好ましい界面活性剤洗濯添加剤は、水を親油性流体に懸濁させることができ、また親油性流体の汚れ除去効果を向上させることができる物質である。それらの性能の条件として、前記物質は親油性流体に可溶性である。物質の好ましい部類の１つは、シロキサン系界面活性剤である。ポリ（ジメチルシロキサン）に由来するこのような物質は、当該技術分野において周知である。そのようなシロキサン物質は、それらが親油性流体に不溶性であるという理由で、及び／又は親油性流体自体によってもたらされる洗浄レベルに比べて改善された汚れの洗浄をもたらさないという理由で、全てのシロキサン物質が本発明に好適なわけではない。
【００４１】
好適なシロキサン系界面活性剤は、次式を有するポリエーテルシロキサンを含む：
ＭａＤｂＤ’ｃＤ”ｄＭ’２〜ａ
式中、ａは０〜２であり；ｂは０〜１０００であり；ｃは０〜５０であり；ｄは０〜５０であり、但しａ＋ｃ＋ｄは少なくとも１である；
ＭはＲ１３〜ｅＸｅＳｉＯ１／２であり、式中、Ｒ１は独立して、Ｈ、又は一価の炭化水素基であり、Ｘはヒドロキシル基であり、ｅは０又は１である；
Ｍ’はＲ２３ＳｉＯ１／２であり、式中、Ｒ２は独立して、Ｈ、一価の炭化水素基、又は（ＣＨ２）ｆ−（Ｃ６Ｈ４）ｇＯ−（Ｃ２Ｈ４Ｏ）ｈ−（Ｃ３Ｈ６Ｏ）ｉ−（ＣｋＨ２ｋＯ）ｊ−Ｒ３であり、但し少なくとも１つのＲ２が（ＣＨ２）ｆ−（Ｃ６Ｈ４）ｇＯ−（Ｃ２Ｈ４Ｏ）ｈ−（Ｃ３Ｈ６Ｏ）ｉ−（ＣｋＨ２ｋＯ）ｊ−Ｒ３であり、式中、Ｒ３は独立して、Ｈ、一価の炭化水素基、又はアルコキシ基であり、ｆは１〜１０であり、ｇは０又は１であり、ｈは１〜５０であり、ｉは０〜５０であり、ｊは０〜５０であり、ｋは４〜８である；
ＤはＲ４２ＳｉＯ２／２であり、式中、Ｒ４は独立して、Ｈ又は一価の炭化水素基であり；
Ｄ’はＲ５２ＳｉＯ２／２であり、式中、Ｒ５は独立して、Ｒ２であり、但し少なくとも１つのＲ５は、（ＣＨ２）ｆ−（Ｃ６Ｈ４）ｇＯ−（Ｃ２Ｈ４Ｏ）ｈ−（Ｃ３Ｈ６Ｏ）ｉ−（ＣｋＨ２ｋＯ）ｊ−Ｒ３であり、式中、Ｒ３は独立して、Ｈ、一価の炭化水素基、又はアルコキシ基であり、ｆは１〜１０であり、ｇは０又は１であり、ｈは１〜５０であり、ｉは０〜５０であり、ｊは０〜５０であり、ｋは４〜８であり；及び
Ｄ”は、Ｒ６２ＳｉＯ２／２であり、式中、Ｒ６は独立して、Ｈ、一価の炭化水素基、又は（ＣＨ２）ｌ（Ｃ６Ｈ４）ｍ（Ａ）ｎ−［（Ｌ）ｏ−（Ａ’）ｐ−］ｑ−（Ｌ’）ｒＺ（Ｇ）ｓであり、式中、ｌは１〜１０であり；ｍは０又は１であり；ｎは０〜５であり；ｏは０〜３であり；ｐは０又は１であり；ｑは０〜１０であり；ｒは０〜３であり；ｓは０〜３であり；Ｃ６Ｈ４は、Ｃ１〜１０アルキル又はアルケニルで置換されていないか又は置換されており；Ａ及びＡ’は、それぞれ独立して連結部分であって、エステル、ケト、エーテル、チオ、アミド、アミノ、Ｃ１〜４フルオロアルキル、Ｃ１〜４フルオロアルケニル、分枝又は直鎖ポリアルキレンオキシド、ホスフェート、スルホニル、サルフェート、アンモニウム、並びにこれらの混合物を表しており；Ｌ及びＬ’はそれぞれ独立して、非置換又は置換の、Ｃ１〜３０直鎖又は分枝アルキル又はアルケニル又はアリールであり；Ｚは、水素、カルボン酸、ヒドロキシ、ホスファト、ホスフェートエステル、スルホニル、スルホネート、サルフェート、分枝又は直鎖ポリアルキレンオキシド、ニトリル、グリセリル、Ｃ１〜３０アルキル又はアルケニルで置換されていないか又は置換されているアリール、Ｃ１〜１０アルキル又はアルケニル又はアンモニウムで置換されていないか又は置換されている炭水化物であり、Ｇは、Ｈ＋、Ｎａ＋、Ｌｉ＋、Ｋ＋、ＮＨ４＋、Ｃａ＋２、Ｍｇ＋２、Ｃｌ−、Ｂｒ−、Ｉ−、メシラート、又はトシラートなどの陰イオン又は陽イオンである。
【００４２】
前述のシロキサン系界面活性剤の種類の例は、ＥＰ−１，０４３，４４３Ａ１、ＥＰ−１，０４１，１８９、及び国際公開第０１／３４，７０６号（全てＧＥシリコーンズ（GE Silicones）に発行）、及び米国特許第５，６７６，７０５号、米国特許第５，６８３，９７７号、米国特許第５，６８３，４７３号、及びＥＰ−１，０９２，８０３Ａ１（全てリーバー・ブラザーズ（Lever Brothers）に発行）に見出すことができる。
【００４３】
好適なシロキサン系界面活性剤の市販品の非限定例は、ＴＳＦ４４４６（ゼネラル・エレクトリック・シリコーンズ（General Electric Silicones）から）、ＸＳ６９−Ｂ５４７６（ゼネラル・エレクトリック・シリコーンズから）；ジェナミン（Jenamine）ＨＳＸ（デルコン（DelCon）から）及びＹ１２１４７（ＯＳｉスペシャルティーズ（OSi Specialties）から）である。
【００４４】
界面活性剤構成成分に適した第２の好ましい分類の物質は、有機物の性質である。好ましい物質は、炭素原子が約６〜約２０の炭素鎖を有する、有機スルホサクシネート界面活性剤である。それぞれ炭素原子約６〜約２０の炭素鎖を有するジアルキル鎖を含有する有機スルホサクシネートが最も好ましい。アリール又はアルキルアリール、置換又は非置換、分枝又は直鎖、飽和又は不飽和基を含有する鎖も好ましい。
【００４５】
好適なオルガノスルホスクシネート界面活性剤の市販品の非限定例は、エアゾール（Aerosol）ＯＴ及びエアゾール（Aerosol）ＴＲ−７０（サイテック（Cytec）から）の商品名で入手可能である。
【００４６】
界面活性剤の別の好ましい種類は、非イオン性界面活性剤、特に低いＨＬＢ値を有するものである。好ましい非イオン性界面活性剤は約１０未満、より好ましくは約７．５未満、最も好ましくは約５未満のＨＬＢ値を有する。好ましい非イオン性界面活性剤はまた、界面活性剤の鎖の中に約６〜２０の炭素、及び界面活性剤の親水性部分中に約１〜１５のエチレンオキシド（ＥＯ）及び／又はプロピレンオキシド（ＰＯ）単位を有し（すなわち、Ｃ６〜２０  ＥＯ／ＰＯ  １〜１５）、好ましくはＣ７〜１１  ＥＯ／ＰＯ  １〜５（例えばＣ７〜１１  ＥＯ  ２．５）の範囲内のものから選択される非イオン性界面活性剤である。
【００４７】
界面活性剤洗濯添加剤は、存在する場合、通常は本発明のプロセスのために親油性流体と組み合わされた洗浄組成物の約０．００１重量％〜約１０重量％、より好ましくは約０．０１重量％〜約５重量％、更に好ましくは約０．０２重量％〜約２重量％含まれる。これらの界面活性剤洗濯添加剤は、親油性流体に添加する前に消費可能な洗剤組成物中に存在する場合、好ましくは消費可能な洗剤組成物の約１重量％〜約９０重量％、より好ましくは２重量％〜約７５重量％、更に好ましくは約５重量％〜約６０重量％含まれる。
【００４８】
（非シリコーン添加剤）
好ましくは極性の高い及び／又は水素結合する先端基を含む非シリコーン添加剤（すなわち、Ｓｉ原子を含有しない物質）は、存在する場合、本発明の組成物による汚れ除去を更に向上させる。極性の高い及び／又は水素結合する先端基を含有する物質の例には、アルコール、陽イオン性界面活性剤などの陽イオン性物質、四級界面活性剤、塩化アンモニウム（塩化アンモニウムの非限定的の例は、アクゾ・ノーベル（Akzo Nobel）から市販のアークワッド（Arquad）物質である）などの四級アンモニウム塩及び陽イオン性布地柔軟化活性物質、非イオン性界面活性剤（すなわち、アルコールエトキシレート、ポリヒドロキシ脂肪酸アミド）などの非イオン性物質、ジェミニ界面活性剤、陰イオン性界面活性剤、双性イオン界面活性剤、カルボン酸、サルフェート、スルホネート、ホスフェート、ホスホネート、及び窒素含有物質が挙げられるが、これらに限定されない。一実施形態では、非シリコーン添加剤は、一級、二級、及び三級アミン、ジアミン、トリアミン、エトキシル化アミン、アミンオキシド、アミド、及びベタイン、並びにこれらの混合物から成る群から選択される窒素含有物質を含み、ベタインの非限定的な例は、シェア・ケミカルズ（Scher Chemicals）から市販のシェアコタイン（Schercotaine）物質である。
【００４９】
別の実施形態では、アルキル鎖は、融点の低下を助ける可能性のある分岐を含有する。
【００５０】
更に別の実施形態では、約６〜約２２の炭素原子を含む一級アルキルアミンが使用される。特に好ましい一級アルキルアミンは、オレイルアミン（アーミン（Armeen）ＯＬＤの商品名でアクゾ（Akzo）から市販）、ドデシルアミン（アーミン（Armeen）１２Ｄの商品名でアクゾ（Akzo）から市販）、分枝Ｃ１６〜Ｃ２２アルキルアミン（プリミーニ（Primene）ＪＭ−Ｔの商品名でローム・アンド・ハース（Rohm & Haas）から市販）及びこれらの混合物である。
【００５１】
好適な陽イオン性物質には、四級界面活性剤を含んでもよく、これは四級アンモニウム化合物であってよい。市販の試剤には、ゴールドシュミット（Goldschmidt）製のバリソフト（Varisoft）物質が挙げられる。
【００５２】
追加の好適な陽イオン性物質には、慣用的な布地柔軟化活性物質を挙げてもよい。
【００５３】
好適な陽イオン性界面活性剤は次式：
Ｒ’Ｒ”Ｎ＋（ＣＨ３）２Ｘ−
を有するジアルキルジメチルアンモニウム塩が挙げられるが、これに限定されず、式中、各Ｒ’及びＲ”は、１２〜３０Ｃ原子、又はタロー、ココヤシ油、若しくは大豆に由来するものから成る群より独立して選択され、Ｘ＝Ｃｌ又はＢｒである。非限定例には：ジドデシルジメチルアンモニウムブロミド（ＤＤＡＢ）、ジヘキサデシルジメチルアンモニウムクロリド、ジヘキサデシルジメチルアンモニウムブロミド、ジオクタデシルジメチルアンモニウムクロリド、ジエイコシルジメチルアンモニウムクロリド、ジドコシルジメチルアンモニウムクロリド、ジココナッツジメチルアンモニウムクロリド、ジタロージメチルアンモニウムブロミド（ＤＴＡＢ）が挙げられる。市販の例として、アドゲン（ＡＤＯＧＥＮ）、アークワッド（ＡＲＱＵＡＤ）、トマー（ＴＯＭＡＨ）、バリクワット（ＶＡＲＩＱＵＡＴ）が挙げられるが、これらに限定されない。
【００５４】
一実施形態では、陽イオン性界面活性剤は、次式：
Ｒ１Ｒ２Ｒ３Ｒ４Ｎ＋Ｘ−
を有する本発明の組成物に有用な水溶性四級アンモニウム化合物を含み、式中、Ｒ１は、Ｃ８〜Ｃ１６アルキルであり、Ｒ２、Ｒ３及びＲ４のそれぞれは独立してＣ１〜Ｃ４アルキル、Ｃ１〜Ｃ４ヒドロキシアルキル、ベンジル、及び−（Ｃ２Ｈ４０）ｘＨであり、ここでｘの値は２〜５であり、Ｘは陰イオンである。ベンジルは、Ｒ２、Ｒ３又はＲ４の多くても１つであるべきである。
【００５５】
典型的な陽イオン性布地柔軟化化合物には、水不溶性四級アンモニウム布地柔軟化活性物質が挙げられ、最も一般に使用されるものは、ジ（長鎖アルキル）ジメチルアンモニウム（Ｃ１〜Ｃ４アルキル）サルフェート又はクロリド、好ましくはメチルサルフェートであり、化合物には以下のものが挙げられる：
１）ジ（タローアルキル）ジメチルアンモニウムメチルサルフェート（ＤＴＤＭＡＭＳ）；
２）ジ（硬化タローアルキル）ジメチルアンモニウムメチルサルフェート；
３）ジ（硬化タローアルキル）ジメチルアンモニウムクロリド（ＤＴＤＭＡＣ）；
４）ジステアリルジメチルアンモニウムメチルサルフェート；
５）ジオレイルジメチルアンモニウムメチルサルフェート；
６）ジパルミチルヒドロキシエチルメチルアンモニウムメチルサルフェート；
７）ステアリルベンジルジメチルアンモニウムメチルサルフェート；
８）タローアルキルトリメチルアンモニウムメチルサルフェート；
９）（硬化タローアルキル）トリメチルアンモニウムメチルサルフェート；
１０）（Ｃ１２〜１４アルキル）ヒドロキシエチルジメチルアンモニウムメチルサルフェート；
１１）（Ｃ１２〜１８アルキル）ジ（ヒドロキシエチル）メチルアンモニウムメチルサルフェート；
１２）ジ（ステアロイルオキシエチル）ジメチルアンモニウムクロリド；
１３）ジ（タローオイルオキシエチル（tallowoyloxyethyl））ジメチルアンモニウムメチルサルフェート；
１４）ジタローアルキルイミダゾリニウムメチルサルフェート；
１５）１−（２−タローイルアミドエチル（tallowylamidoethyl））−２−タローイルイミダゾリニウム（tallowylimidazolinium）メチルサルフェート；及び
１６）これらの混合物。
【００５６】
好適な非イオン性界面活性剤には、以下のものが挙げられるが、これらに限定されない：
ａ）ノニルフェノール及びミリスチルアルコールのポリエチレンオキシド縮合物であり、米国特許第４，６８５，９３０号（カスプルザーク（Kasprzak））におけるものなど、及び
ｂ）脂肪族アルコールエトキシレート、Ｒ−（ＯＣＨ２ＣＨ２）ａＯＨ、ａ＝１〜１００、典型的には１２〜４０、Ｒ＝炭化水素残基８〜２０Ｃ原子、典型的には直鎖アルキル。例として、４又は２３のオキシエチレン基を有するポリオキシエチレンラウリルエーテル；２、１０、又は２０のオキシエチレン基を有するポリオキシエチレンセチルエーテル；２、１０、２０、２１、又は１００のオキシエチレン基を有するポリオキシエチレンステアリルエーテル；２、又は１０のオキシエチレン基を有するポリオキシエチレン（２），（１０）オレイルエーテルがある。市販されている例として、アルフォニック（ALFONIC）、ブリジ（BRIJ）、ゲナポール（GENAPOL）、ネオドール（NEODOL）、サーフォニック（SURFONIC）、トリコール（TRYCOL）が挙げられるが、これらに限定されない。
【００５７】
エトキシル化界面活性剤などのエトキシル化物質の非限定的な例には、次の一般式：
Ｒ８−Ｚ−（ＣＨ２ＣＨ２Ｏ）ｓＢ
を有する化合物が挙げられ、式中、Ｒ８は、約６〜約２０の炭素原子、好ましくは約８〜約１８、より好ましくは約１０〜約１５の炭素原子を有する一級、二級及び分枝鎖アルキルヒドロカルビル基、一級、二級及び分枝鎖アルケニルヒドロカルビル基、並びに／又は一級、二級及び分枝鎖アルキル−及びアルケニル−置換フェノールヒドロカルビル基から成る群から選択されるアルキル基若しくはアルキルアリール基であり、ｓは約２〜約４５、好ましくは約２〜約２０、より好ましくは約２〜約１５の整数であり、Ｂは水素、カルボキシレート基、又はサルフェート基であり、連結基Ｚは−Ｏ−、−Ｃ（Ｏ）Ｏ−、−Ｃ（Ｏ）Ｎ（Ｒ）−、又は−Ｃ（Ｏ）Ｎ（Ｒ）−、並びにこれらの混合物であり、ここでＲが存在する場合は、Ｒ８又は水素である。
【００５８】
本明細書の非イオン系界面活性剤は、５〜２０、好ましくは６〜１５のＨＬＢ（親水性−親油性バランス）を特徴とする。
【００５９】
好ましいエトキシル化界面活性剤の非限定例は：
Ｒ８がＣ８〜Ｃ１８アルキル及び／又はアルケニル基、より好ましくはＣ１０〜Ｃ１４アルキル及び／又はアルケニル基であり、ｓが約２〜約８、好ましくは約２〜約６である直鎖一級アルコールエトキシレート；
Ｒ８がＣ８〜Ｃ１８アルキル及び／又はアルケニル、例えば、３−ヘキサデシル、２−オクタデシル、４−エイコサニル、及び５−エイコサニルであり、ｓが約２〜約１０である直鎖二級アルコールエトキシレート；
アルキルフェノールが一級、二級又は分枝鎖の配置において３〜２０の炭素原子、好ましくは６〜１２の炭素原子を含有するアルキル又はアルケニル基を有し、ｓが約２〜約１２、好ましくは約２〜約８であるアルキルフェノールエトキシレート；
例えば、周知の「オキソ」法又はその変更から利用可能である分枝鎖一級及び二級アルコール（又はゲルベアルコール）がエトキシル化されている分枝鎖アルコールエトキシレートである。
【００６０】
特に好ましいのは、アルキルエトキシレート界面活性剤であって、各Ｒ８がＣ８〜Ｃ１６の直鎖及び／又は分枝鎖のアルキルであり、エチレンオキシ基の数ｓが約２〜約６、好ましくは約２〜約４であるもの、より好ましくはＲ８がＣ８〜Ｃ１５アルキルであり、ｓが約２．２５〜約３．５であるものである。これらの非イオン系界面活性剤は、ＨＬＢが約６〜約１１、好ましくは約６．５〜約９．５、より好ましくは約７〜約９であることを特徴とする。市販の好ましい界面活性剤の非限定的な例は、ネオドール（Neodol）９１−２．５（Ｃ９〜Ｃ１０、ｓ＝２．７、ＨＬＢ＝８．５）、ネオドール（Neodol）２３−３（Ｃ１２〜Ｃ１３、ｓ＝２．９、ＨＬＢ＝７．９）、及びネオドール（Neodol）２５−３（Ｃ１２〜Ｃ１５、ｓ＝２．８、ＨＬＢ＝７．５）である。
【００６１】
更なる非限定的な例には、エトキシル化（ＥＯ５〜１００）ソルビタンの脂肪酸（Ｃ１２〜１８）エステルから成る群から選択される非イオン性界面活性剤などが挙げられる。より好ましくは、前記界面活性剤は、ソルビトール及び無水ソルビトールのラウレートエステルの混合物、ソルビトール及び無水ソルビトールのステアレートエステルの混合物、及びソルビトール及び無水ソルビトールのオレエートエステルの混合物から成る群から選択される。更により好ましくは、前記界面活性剤は、ソルビトール及び無水ソルビトールのラウレートエステルの混合物であって、主にモノエステルからなり、約２０モルのエチレンオキシドと縮合されたポリソルベート２０；ソルビトール及び無水ソルビトールのステアレートエステルの混合物であって、主にモノエステルからなり、約２０モルのエチレンオキシドと縮合されたポリソルベート６０；ソルビトール及び無水ソルビトールのオレエートエステルの混合物であって、主にモノエステルからなり、約２０モルのエチレンオキシドと縮合されたポリソルベート８０；及びこれらの混合物から成る群から選択される。最も好ましくは、前記界面活性剤はポリソルベート６０である。
【００６２】
エトキシル化界面活性剤の他の例には、Ｒ８が約１２〜約１６の炭素原子を有し、ｓが約５〜約１３であるエーテルカルボキシレートとしても知られるカルボキシル化アルコールエトキシレート；ＰＥＧ−５ココモニウムメトサルフェート、ＰＥＧ−１５ココモニウムクロリド、ＰＥＧ−１５オレアンモニウムクロリド及びビス（ポリエトキシエタノール）タローアンモニウムクロリドのようなエトキシル化四級アンモニウム界面活性剤が挙げられる。
【００６３】
他の好適な非イオン性エトキシル化界面活性剤は、エチレンオキシドと疎水性のアルキルアミンとの縮合に由来するエトキシル化アルキルアミンであり、Ｒ８は約８〜約２２の炭素原子を有し、ｓは約３〜約３０である。
【００６４】
また、本明細書で使用されるのに好適な非イオン性エトキシル化界面活性剤は、１９８６年１月２１日にレナド（Llenado）に発行された米国特許第４，５６５，６４７号に開示されており、約８〜約３０の炭素原子、好ましくは約１０〜約１６の炭素原子を含有する疎水性基、及び多糖類、例えば、ポリグリコシド、約１．３〜約１０、好ましくは約１．３〜約３、最も好ましくは約１．３〜約２．７の糖単位を含有する親水性基を有するアルキル多糖類である。炭素原子数５又は６の還元性のいかなる糖、例えばグルコース、ガラクトースも使用でき、ガラクトシル部分はグルコシル部分で置換されていてもよい。糖間結合は、例えば、付加させる糖単位の１つの位置と、元の糖単位の２−、３−、４−、及び／又は６位との間で形成させることができる。好ましいアルキルポリグリコシドは次式：
Ｒ２Ｏ（ＣｎＨ２ｎＯ）ｔ（グリコシル）ｘ
を有し、式中、Ｒ２は、アルキル、アルキルフェニル、ヒドロキシアルキル、ヒドロキシアルキルフェニル、及びこれらの混合物から成る群から選択され、その際、アルキル基は１０〜１８、好ましくは１２〜１４の炭素原子を含有し、ｎは２又は３、好ましくは約１．３〜約３、最も好ましくは約１．３〜約２．７である。グリコシルは好ましくはグルコースに由来する。
【００６５】
一実施形態では、非イオン性界面活性剤は、次式：
Ｒ２−Ｃ（Ｏ）−Ｎ（Ｒ１）−Ｚ、
のポリヒドロキシ脂肪酸アミド界面活性剤を含み、式中、Ｒ１は、Ｈ、又はＣ１〜４ヒドロカルビル、２−ヒドロキシエチル、２−ヒドロキシプロピル若しくはこれらの混合物であり、Ｒ２は、Ｃ５〜３１ヒドロカルビルであり、及びＺは、鎖に直接結合した少なくとも３つのヒドロキシルを持つ直鎖ヒドロカルビル鎖を有するポリヒドロキシヒドロカルビル、又はそのアルコキシル化誘導体である。好ましくは、Ｒ１はメチルであり、Ｒ２は直鎖Ｃ１１〜１５アルキル又はＣ１６〜１８アルキル又はアルケニル鎖、例えばココナッツアルキル又はその混合物であり、Ｚは、還元型アミノ化反応におけるグルコース、フルクトース、マルトース、ラクトースのような還元糖に由来する。
【００６６】
一実施形態では、陰イオン性界面活性剤には、アルキルアルコキシル化サルフェート界面活性剤が挙げられ、これは式ＲＯ（Ａ）ｍＳＯ３Ｍの水溶性塩又は酸であり、式中、Ｒは非置換Ｃ１０〜Ｃ２４アルキル又はＣ１０〜Ｃ２４アルキル成分を有するヒドロキシアルキル基、好ましくはＣ１２〜Ｃ２０アルキル又はヒドロキシアルキル、より好ましくはＣ１２〜Ｃ１８アルキル又はヒドロキシアルキルであり、Ａはエトキシ又はプロポキシ単位であり、ｍは０より大きく、典型的には約０．５〜約６、より好ましくは約０．５〜約３であり、Ｍは、Ｈ、又は例えば金属陽イオン（例えばナトリウム、カリウム、リチウム、カルシウム、マグネシウムなど）、アンモニウム又は置換アンモニウム陽イオンとすることができる陽イオンである。アルキルエトキシ化サルフェート並びにアルキルプロポキシ化サルフェートが、本明細書において考察される。
【００６７】
親油性流体と組み合わせて補助剤として使用されるのに好適な前述及び他の界面活性剤は、当該技術分野で周知であり、カーク・オスマー（Kirk Othmer）の工業化学百科事典（Encyclopedia of Chemical Technology）、第３版、第２２巻、３６０〜３７９頁、「界面活性剤及び洗剤システム（Surfactants and Detersive Systems）」に記載されており、参考として本明細書に組み込まれる。更なる好適な非イオン性の洗浄性界面活性剤は、１９７５年１２月３０日にラフリン（Laughlin）らに発行された米国特許第３，９２９，６７８号の１３段１４行〜１６段６行に概ね開示されており、参考として本明細書に組み込まれる。
【００６８】
非シリコーン添加剤は、本発明の布地物品処理組成物中に存在する場合、好ましくは布地物品処理組成物の約０．００１重量％〜約１０重量％、より好ましくは約０．０２重量％〜約５重量％、更により好ましくは約０．０５重量％〜約２重量％含まれる。
【００６９】
非シリコーン添加剤は、本発明の消費可能な洗剤組成物中に存在する場合、好ましくは消費可能な洗剤組成物の約１重量％〜約９０重量％、より好ましくは約２重量％〜約７５重量％、更により好ましくは約５重量％〜約６０重量％含まれる。
【００７０】
（極性溶媒）
本発明の組成物は更に極性溶媒を含んでもよい。極性溶媒の非限定的な例には、水、アルコール、グリコール、ポリグリコール、エーテル、カーボネート、ニ塩基性エステル、ケトン、他の酸素化溶媒、及びこれらの混合物などが挙げられる。アルコールの他の例には：Ｃ１〜Ｃ１２６アルコール、例えば、プロパノール、エタノール、イソプロピルアルコールなど、ベンジルアルコール、及び１，２−ヘキサンジオールなどのジオールなどが挙げられる。ダウ・ケミカル（Dow Chemical）によるダウアノール（Dowanol）シリーズは、本発明に有用なグリコール、及びポリグリコールの例であり、例えば、ダウアノール（Dowanol）ＴＰＭ、ＴＰｎＰ、ＤＰｎＢ、ＤＰｎＰ、ＴＰｎＢ、ＰＰｈ、ＤＰＭ、ＤＰＭＡ、ＤＢ、及び他のものなどがある。他の例には、プロピレングリコール、ブチレングリコール、ポリブチレングリコール、及び更に疎水性のグリコールなどが挙げられる。カーボネート溶媒の例には、エチレン、プロピレン、及びブチレンカーボネート、例えばジェフソル（Jeffsol）の商標名で入手可能なものなどがある。本発明用の極性溶媒は、分散性（δＤ）、極性（δＰ）及び水素結合（δＨ）ハンセン溶解度パラメータによって更に同定することができる。好ましい極性溶媒、又は極性溶媒混合物は、極性分率の値（ｆＰ）及び水素結合分率の値（ｆＨ）が、ｆＰ＞０．０２、及びｆＨ＞０．１０であり、ここでｆＰ＝δＰ／（δＤ＋δＰ＋δＨ）及びｆＨ＝δＨ／（δＤ＋δＰ＋δＨ）、更に好ましくはｆＰ＞０．０５及びｆＨ＞０．２０、最も好ましくはｆＰ＞０．０７、及びｆＨ＞０．３０である。
【００７１】
本発明の洗剤組成物では、極性溶媒の濃度は、洗剤組成物の約０〜約７０重量％、好ましくは１〜５０重量％、更に好ましくは１〜３０％重量とすることができる。
【００７２】
水は、本発明の洗浄流体布地物品処理組成物中に存在する場合、洗浄流体組成物は洗浄流体布地物品処理組成物の約０．００１重量％〜約１０重量％、より好ましくは約０．００５重量％〜約５重量％、更により好ましくは約０．０１重量％〜約１重量％含まれてもよい。
【００７３】
水は、本発明の洗剤組成物中に存在する場合、好ましくは消費可能な洗剤組成物の約１重量％〜約９０重量％、より好ましくは約２重量％〜約７５重量％、更により好ましくは約５重量％〜約４０重量％含まれる。
【００７４】
（加工助剤）
任意選択的に、本発明の組成物は、加工助剤を更に含んでもよい。加工助剤は、消費可能な洗剤組成物の流動性及び／又は均一性を維持し、及び／又は希釈プロセスを助けることにより、本発明の布地物品処理組成物の形成を促進する。本発明に好適な加工助剤は溶媒であり、好ましくは上述のもの以外の溶媒、ヒドロトロープ、及び／又は界面活性剤、好ましくは界面活性剤成分に関する上述のもの以外の界面活性剤である。特に好ましい加工助剤は、脂肪族アルコール、ジオール、トリオールなどのプロトン性溶媒、及びエトキシル化脂肪族アルコールなどの非イオン性界面活性剤である。
【００７５】
加工助剤は、本発明の布地物品処理組成物中に存在する場合、好ましくは布地物品処理組成物の約０．０２重量％〜約１０重量％、より好ましくは約０．０５重量％〜約１０重量％、更により好ましくは約０．１重量％〜約１０重量％含まれる。
【００７６】
加工助剤は、本発明の消費可能な洗剤組成物中に存在する場合、好ましくは消費可能な洗剤組成物の約１重量％〜約７５重量％、より好ましくは約５重量％〜約５０重量％含まれる。
【００７７】
（洗浄補助剤）
本発明の組成物は、任意選択的に、１種類又はそれ以上の洗浄補助剤を更に含んでもよい。任意選択的な洗浄補助剤は、広範にわたって異なる可能性があり、広範囲にわたる濃度で使用することができる。例えば、プロテアーゼ類、アミラーゼ類、セルラーゼ類、リパーゼ類等のような洗浄性酵素、並びに、洗濯又は洗浄製品で全て有用なマンガン又は類似の遷移金属を有する大環状種を含む漂白触媒を、非常に低い濃度で、又はあまり一般的ではないがより高い濃度で、本明細書において使用することができる。触媒作用のある洗浄補助剤、例えば酵素は、「順方向」又は「逆方向」様式で用いることができ、これは本発明の布地処理方法とは無関係に有用な発見である。例えば、リポラーゼ又は他の加水分解酵素を、任意選択的にアルコールの存在下で洗浄補助剤として使用して、脂肪酸をエステルに転換させてもよく、これにより親油性流体中での溶解度が増大する。これは「逆方向」操作であって、水に対する溶解度がより小さい脂肪酸エステルを、水に対する溶解度がより大きい物質に転換するために、水中における加水分解酵素の通常の使用法とは対照的である。いずれにせよ、どの洗浄補助剤も、本発明による親油性流体と組み合わせて使用するのに好適でなければならない。
【００７８】
好適な洗浄補助剤の一部には、ビルダー、界面活性剤、界面活性剤成分に関する上述のもの以外、酵素、漂白活性化剤、漂白触媒、漂白促進剤、漂白剤、アルカリ性供給源、抗菌剤、着色剤、香料、副香料、仕上げ助剤、ライム石鹸分散剤、賦香剤、臭気中和剤、ポリマー転染抑制剤、結晶成長阻害剤、光漂白剤、重金属イオン封鎖剤、変色防止剤、抗微生物剤、酸化防止剤、再付着防止剤、汚れ放出ポリマー、電解質、ｐＨ調整剤、増粘剤、研磨剤、二価又は三価イオン、金属イオン塩、酵素安定化剤、腐食防止剤、ポリアミン類及び／又はそのアルコキシレート類、泡安定化ポリマー、溶媒、処理助剤、布地柔軟化剤、光学的光沢剤、ヒドロトロープ、抑泡剤、発泡促進剤、並びにこれらの混合物が挙げられるが、これらに限定されない。
【００７９】
仕上げ剤として任意選択的に使用されてもよい好適な賦香剤には、シクロデキストリン、臭気中和剤、臭気遮断剤、及びこれらの混合物などが挙げられる。好適な臭気中和剤としては、アルデヒド、フラボノイド、金属性塩、水溶性ポリマー、ゼオライト、活性炭及びこれらの混合物が挙げられる。
【００８０】
本発明の組成物に有用な香料及び香料的成分は、多種多様な天然の及び合成の化学成分を含み、アルデヒド、ケトン、及びエステルなどが挙げられるが、これらに限定されない。オレンジ油、レモン油、バラ抽出物、ラベンダー、麝香、パチョリ、バルサムのエキス、白檀油、松根油、スギなどのような成分の複雑な混合物が含まれる、種々の天然の抽出物及びエキスもまた含まれる。完成した香料は、このような成分の極めて複雑な混合物を含んでよい。副香料も本発明で有用である。そのような物質は、化学的に反応可能なそれらの前駆体又は混合物であり、例えば加水分解により香料を放出し、そしてプロクター・アンド・ギャンブル（Procter and Gamble）、フィルメニッチ（Firmenich）、ギボウバン（Givaudan）に対して発行された特許及び／又は公開特許出願に記載されている。
【００８１】
漂白剤、特に酸素漂白剤は、本発明の組成物中に使用するのに好適な別の種類の洗浄補助剤である。これは、特に、ノナノイルオキシベンゼンスルホネート及び／又はその直鎖状若しくは分枝鎖状高級若しくは低級類似体のいずれか、並びに／又はテトラアセチルエチレンジアミン及び／若しくはその誘導体のいずれか、又はフタロイルイミドペルオキシカプロン酸（ＰＡＰ）の誘導体、又はラクタム型を含む他のイミド−若しくはアミド−置換漂白剤活性化剤、又はより一般的に、親水性及び／若しくは疎水性漂白剤活性化剤のいずれかの混合物（特に、Ｃ６〜Ｃ１６置換オキシベンゼンスルホネート類のものを含むアシル誘導体）による活性化及び触媒化型に関する場合に言える。
【００８２】
ＰＡＰ及びＰＡＰ以外のものを含む有機又は無機過酸も好適である。本発明で使用される好適な有機又は無機過酸としては、過カルボン酸及び塩；過炭酸及び塩；過イミド酸及び塩；ペルオキシモノ硫酸及び塩；モノペルサルフェートのようなペルサルフェート；ジペルオキシドデカンジオン酸（ＤＰＤＡ）のようなペルオキシ酸；ペルオキシフタル酸マグネシウム；過ラウリン酸；過安息香酸及びアルキル過安息香酸；並びにこれらの混合物が挙げられるが、これらに限定されない。
【００８３】
好適な有機ペルオキシカルボン酸の１つの部類は、次の一般式を有し
【化１】
2005502771.tif 000004
【００８４】
式中、Ｒは、１〜約２２個の炭素原子を含有するアルキレン又は置換アルキレン基、又はフェニレン若しくは置換フェニレン基であり、Ｙは、水素、ハロゲン、アルキル、アリール、−Ｃ（Ｏ）ＯＨ、又は−Ｃ（Ｏ）ＯＯＨである。
【００８５】
特に好ましい過酸化合物は、次式を有するものであり：
【化２】
2005502771.tif 000005
【００８６】
式中、ＲはＣ１〜４アルキルであり、ｎは１〜５の整数である。特に好ましい過酸は、ＲがＣＨ２でｎが５である式を有しており、すなわち、米国特許第５，４８７，８１８号、第５，３１０，９３４号、第５，２４６，６２０号、第５，２７９，７５７号、及び第５，１３２，４３１号に記載のフタロイルアミノ過オキシカプロン酸（ＰＡＰ）である。ＰＡＰは、オウシモントＳｐＡ（Ausimont SpA）から商標名ユーロコ（Euroco）として入手可能である。
【００８７】
本発明の組成物に使用するのに好適な他の洗浄補助剤には、不溶型、例えば、ゼオライトＡ、Ｐ、及びいわゆる最大アルミニウムＰを包含するゼオライト類、並びに可溶型、例えば、ホスフェート類及びポリホスフェート類、いずれかの含水性の水溶性又は非水溶性シリケート類、２，２’−オキシジスクシネート類、タータラートスクシネート類、グリコレート類、ＮＴＡ、及び多くの他のエーテルカルボキシレート類又はシトレート類を包含するビルダー；ＥＤＴＡ、Ｓ，Ｓ’−ＥＤＤＳ、ＤＴＰＡ、及びホスホネート類を包含するキレート剤；水溶性ポリマー、コポリマー、及びターポリマー；汚れ放出ポリマー；光学的光沢剤；クリスピング剤（crisping agent）及び／フィラーのような処理助剤；再付着防止剤；クメンスルホン酸ナトリウム又はカルシウム、ナフタレンスルホン酸カリウム等のヒドロトロープ、保湿剤；他の香料又は副香料；染料；光漂白剤；増粘剤；単塩；水酸化物、炭酸塩、重炭酸塩、及び硫酸塩を包含するナトリウム又はカリウムを主体とするもののようなアルカリ類；並びにこれらの洗浄補助剤の１種又はそれ以上の組み合わせが挙げられるが、これらに限定されない。
【００８８】
好適な仕上げ助剤には、合成又は天然のポリアクリレート類、デンプンカルボキシメチルセルロース又はヒドロキシプロピルメチルセルロースのような仕上げポリマー、賦香剤、臭気中和剤、香料、副香料、静電気防止剤、布地柔軟仕上げ剤、防虫剤及び／又は防蛾剤、並びにこれらの混合物が挙げられるが、これらに限定されない。
【００８９】
仕上げポリマーは、天然又は合成とすることができ、被膜を形成することによって、及び／又は、接着性を与えて仕上げポリマーを布地に接着させることによって作用することができる。例としては、本発明の組成物は、任意選択的に被膜形成ポリマー及び／又は接着性ポリマーを使用し、布地、特に衣類に形状保持を付与することができる。「接着」とは、ポリマーが溶液又は分散体として繊維表面に塗布され乾燥した時に、ポリマーがその表面に付着できることを意味する。ポリマーは、表面上に被膜を形成することができ、又は２つの繊維の間に存在して２つの繊維に接触している時には２つの繊維を１つに結合させることができる。
【００９０】
市販品として入手可能な仕上げポリマーの非限定的な例は、ＧＡＦケミカルズ社（GAF Chemicals Corporation）から入手可能な分子量約１００，０００のコポリマー９５８（登録商標）及び分子量約１，０００，０００のコポリマー９３７のようなポリビニルピロリドン／ジメチルアミノエチルメタクリレートコポリマー；サンドズケミカルズ社（Sandoz Chemicals Corporation）から入手可能なカーターチン（Cartaretin）Ｆ−４（登録商標）及びＦ−２３のようなアジピン酸／ジメチルアミノヒドロキシプロピルジエチレントリアミンコポリマー；三菱化学から入手可能なジアフォーマーＺ−ＳＭ（登録商標）のようなメタクリロイルエチルベタイン／メタクリレートコポリマー；エア・プロダクツ（Air Products）から入手可能なビネックス（Vinex）２０１９及びクラリアント（Clariant）から入手可能なケミカルズ（Chemicals）又はモウェオール（Moweol）（登録商標）のようなポリビニルアルコールコポリマー樹脂；ハーキュレス社（Hercules Incorporated）から入手可能なデルセット（Delsette）１０１（登録商標）のようなアジピン酸／エポキシプロピルジエチレントリアミンコポリマー；サイテックインダストリーズ（Cytec Industries）から入手可能なシプロ５１５（登録商標）のようなポリアミン樹脂；ハーキュレス社（Hercules Incorporated）から入手可能なキメン５５７Ｈ（登録商標）のようなポリ第四級アミン樹脂；並びにＢＡＳＦから入手可能なソカラン（Sokalan）ＥＧ３１０（登録商標）のようなポリビニルピロリドン／アクリル酸である。
【００９１】
洗浄補助剤はまた、静電気防止剤であってもよい。従来の洗濯及びドライクリーニングで使用されるいかなる好適な周知の静電気防止剤も、本発明の組成物及び方法に用いるのに好適である。静電気防止剤として特に適しているのは、静電気防止効果をもたらすことで知られている布地柔軟剤の一部である。例えば、Ｎ，Ｎ−ジ（タローオイル−オキシ−エチル）−Ｎ，Ｎ−ジメチルアンモニウムメチルサルフェートのような、ヨウ素価が２０以上の脂肪族アシル基を有する布地柔軟剤である。但し、静電気防止剤という用語は、この一部の布地柔軟剤だけに限らず、全ての静電気防止剤を含むということが理解されるべきである。
【００９２】
本発明の組成物において有用な、好ましい防虫及び防蛾洗浄補助剤は、シトロネロール、シトロネラール、シトラール、リナロール、スギ抽出物、ゼラニウム油、白檀油、２−（ジエチルフェノキシ）エタノール、１−ドデセンなどの香料成分である。本発明の組成物において有用な防虫及び／又は防蛾剤の他の例は、米国特許番号第４，４４９，９８７号、第４，６９３，８９０号、第４，６９６，６７６号、第４，９３３，３７１号、第５，０３０，６６０号、第５，１９６，２００号、及び「多様な昆虫種に対する風味及び芳香分子の信号作用（Semio Activity of Flavor and Fragrance Molecules on Various Insect Species）」Ｂ．Ｄ．ムックハージー（B. D. Mookherjee）ら、植物からの生物活性揮発性化合物（Bioactive Volatile Compounds from Plants）において公開、ＡＳＣシンポジウムシリーズ５２５、Ｒ．テラニシ、Ｒ．Ｇ．バタリー（R. G. Buttery）、及びＨ．スギサワ、１９９３年、３５〜４８頁に開示されており、前記特許及び前記出版物の全ては参考として本明細書に組み込まれる。
【００９３】
（処理済みの布地物品）
本発明の方法に従って処理された布地物品も、本発明の範囲内である。好ましくは、そのような処理済みの布地物品は、分析的に検出可能な量の、表面エネルギー変性効果を持つが静電気防止効果を持たない少なくとも１種の化合物（例えば、オルガノシリコーン）、又は表面エネルギー変性及び／又は感触変性及び／又は快適性変性及び／又は美的効果を有する少なくとも１種の化合物、並びに前記少なくとも１種の化合物以外の少なくとも１種の静電気防止剤を含む。
【００９４】
（布地物品処理組成物の実施例）
以下は、本発明による布地物品処理組成物の非限定的な実施例である。
【表２】
2005502771.tif 000006
【００９５】
（消費可能な洗剤組成物の実施例）
以下は、本発明による消費可能な洗剤組成物の非限定的な実施例である。
【表３】
2005502771.tif 000007
【図面の簡単な説明】
【００９６】
【図１】丸で囲んだ領域内の溶解度パラメータを有するＤ５親油性流体に可溶性の洗濯添加剤に関するＴｅａｓ図である。
【図１】
2005502771.tif 000008
【国際公開パンフレット】
2005502771.tif 000009
2005502771.tif 000010
2005502771.tif 000011
2005502771.tif 000012
2005502771.tif 000013
2005502771.tif 000014
2005502771.tif 000015
2005502771.tif 000016
2005502771.tif 000017
2005502771.tif 000018
2005502771.tif 000019
2005502771.tif 000020
2005502771.tif 000021
2005502771.tif 000022
2005502771.tif 000023
2005502771.tif 000024
2005502771.tif 000025
2005502771.tif 000026
2005502771.tif 000027
2005502771.tif 000028
2005502771.tif 000029
2005502771.tif 000030
2005502771.tif 000031
2005502771.tif 000032
2005502771.tif 000033
2005502771.tif 000034
2005502771.tif 000035
【国際調査報告】
2005502771.tif 000036
2005502771.tif 000037
2005502771.tif 000038
2005502771.tif 000039